(57)【要約】【課題】ヒートショック対策に係るコストや手間を省略しつつ、ヒートショックの抑制を図ることが可能な建物を提供することを目的とする。【解決手段】居室３と、当該居室３に隣接するサニタリールーム４とを有する住宅等の建物において、居室３とサニタリールーム４との境界に壁７が設けられ、壁７には、居室３とサニタリールーム４とを直接行き来するための出入口８と、当該出入口８とは別の開口部９とが形成されている。そして、開口部９内には、内部に熱媒あるいは冷媒を通す複数の管部材を備える冷暖房パネル１０が、壁７に沿って配置されている。【選択図】図１
2015169060.tif 000002
【特許請求の範囲】
【請求項１】
居室と、当該居室に隣接するサニタリールームとを有する住宅等の建物において、
前記居室と前記サニタリールームとの境界に壁が設けられ、
前記壁には、前記居室と前記サニタリールームとを直接行き来するための出入口と、当該出入口とは別の開口部とが形成されており、
前記開口部内には、内部に熱媒あるいは冷媒を通す複数の管部材を備える冷暖房パネルが、前記壁に沿って配置されていることを特徴とする建物。
【請求項２】
請求項１に記載の建物において、
前記開口部には、当該開口部を開閉し、かつ前記居室側と前記サニタリールーム側の少なくとも一方に配置される開閉部材が設けられていることを特徴とする建物。
【請求項３】
請求項２に記載の建物において、
前記開閉部材のうち前記冷暖房パネル側面には調湿材が設けられていることを特徴とする建物。
【請求項４】
請求項２または３に記載の建物において、
前記サニタリールームは浴室を備えており、
前記開閉部材のうち前記サニタリールーム側面には調湿材が設けられていることを特徴とする建物。
【請求項５】
請求項１〜３のいずれか一項に記載の建物において、
前記サニタリールームに隣接する他の部屋を有し、
前記他の部屋は、前記居室と行き来自在に連通されていることを特徴とする建物。
【発明の詳細な説明】
【技術分野】
【０００１】
本発明は、居室と、当該居室に隣接するサニタリールームとを有する住宅等の建物に関する。
【背景技術】
【０００２】
住宅等の建物では、居住者が、リビングルームや寝室等の空間からサニタリールーム等の他の空間へ移動する際に、移動前の空間内の温度と移動先の空間内の温度との差により、居住者の体が受けるヒートショックが過大となることがある。
ヒートショック対策に関する技術としては、例えば特許文献１に記載のような住宅システムが知られている。このような住宅システムにおいては、住宅内の各空間のそれぞれに設置された温度センサによって各空間の温度が検出され、その検出結果に基づいて住宅内における各空間の温度差に基づくヒートショックの危険性が判断される。そして、住宅内での移動先を受け付けた場合に、当該移動先に至るまでの経路上における温度差がヒートショックの危険性を抑制する温度差となるように、住宅内の各空間のそれぞれに設置された空調機器が制御される。
【先行技術文献】
【特許文献】
【０００３】
【特許文献１】特開２０１３−０１５３００号公報
【発明の概要】
【発明が解決しようとする課題】
【０００４】
ところで、特許文献１に記載の発明のように、住宅内の各空間それぞれに温度センサや空調機器を設置したり、移動するごとに移動先の入力操作を行ったりする必要があるため、各機器に係るコストや操作の手間の面で無駄が多い。そこで、特に居住者が長時間いるリビングルームや寝室等の空間と、移動先となりやすいサニタリールーム等の空間とを隣接させて、無用な機器や手間を省略することが考えられる。
しかしながら、サニタリールームは、トイレや脱衣洗面所、浴室等を備えていることから、通常は閉め切っていることが多い。そのため、結果的にリビングルームとの温度差が生じてしまい、ヒートショックが起こり得るという問題がある。
【０００５】
本発明の課題は、ヒートショック対策に係るコストや手間を省略しつつ、ヒートショックの抑制を図ることが可能な建物を提供することを目的とする。
【課題を解決するための手段】
【０００６】
請求項１に記載の発明は、例えば図１，図２に示すように、居室３と、当該居室３に隣接するサニタリールーム４とを有する住宅等の建物において、
前記居室３と前記サニタリールーム４との境界に壁７が設けられ、
前記壁７には、前記居室３と前記サニタリールーム４とを直接行き来するための出入口８と、当該出入口８とは別の開口部９とが形成されており、
前記開口部９内には、内部に熱媒あるいは冷媒を通す複数の管部材を備える冷暖房パネル１０が、前記壁７に沿って配置されていることを特徴とする。
【０００７】
請求項１に記載の発明によれば、開口部９内に、内部に熱媒あるいは冷媒を通す複数の管部材を備える冷暖房パネル１０が、壁７に沿って配置されているので、開口部９を通じて居室３とサニタリールーム４の空気環境の均一化を図ることができるとともに、冷暖房パネル１０によって居室３側とサニタリールーム４側の双方の冷暖房を行うことができる。これによって、居室３とサニタリールーム４との間を行き来する際におけるヒートショックを抑制することができる。
また、居室３側とサニタリールーム４側の冷暖房を一つの冷暖房パネル１０で行うことができるので、コストの低減を図ることができる。さらに、従来とは異なり、居室３とサニタリールーム４との間を行き来する際に特別な操作を必要としないので、従来に比して手間を省略できる。
また、冷暖房パネル１０が、居室３とサニタリールーム４との境界の壁７に形成された開口部９内に設けられるので、冷暖房パネル１０が、建物内のプランニングの障害になることを防ぐことができる。
さらに、開口部９を冷暖房パネル１０によってある程度閉塞できるので、ある程度の目隠し効果を得ることができる。
【０００８】
請求項２に記載の発明は、例えば図１に示すように、請求項１に記載の建物において、
前記開口部９には、当該開口部９を開閉し、かつ前記居室３側と前記サニタリールーム４側の少なくとも一方に配置される開閉部材１１が設けられていることを特徴とする。
【０００９】
請求項２に記載の発明によれば、開口部９を開閉する開閉部材１１は、居室３側とサニタリールーム４側の少なくとも一方に配置されているので、例えばサニタリールーム４側に配置されていれば、結露発生の抑制やプライバシー確保だけでなく、冷暖房パネル１０による冷暖房効果を、居室３側に集中させて発揮することができる。
また例えば居室３側に配置されていれば、冷暖房パネル１０による冷暖房効果を、温度が変化しやすいサニタリールーム４側に集中させて発揮することができる。
さらに例えば両方に配置されていれば、居室３側とサニタリールーム４側の双方で別々に開口部９を開放したり閉塞したりすることができるので、片方だけに配置する場合の機能を同時に得ることができる。
【００１０】
請求項３に記載の発明は、例えば図１に示すように、請求項２に記載の建物において、
前記開閉部材１１のうち前記冷暖房パネル１０側面には調湿材が設けられていることを特徴とする。
【００１１】
請求項３に記載の発明によれば、開閉部材１１のうち冷暖房パネル１０側面には調湿材が設けられているので、冷暖房パネル１０の輻射熱によって発生する開閉部材１１の結露の発生を抑制できる。
【００１２】
請求項４に記載の発明は、例えば図１，図２に示すように、請求項２または３に記載の建物において、
前記サニタリールーム４は浴室を備えており、
前記開閉部材１１のうち前記サニタリールーム４側面には調湿材が設けられていることを特徴とする。
【００１３】
請求項４に記載の発明によれば、開閉部材１１のうちサニタリールーム４側面には調湿材が設けられているので、浴室の湿気による結露の発生を抑制できる。また、開閉部材１１によって開口部９を閉塞できるので、サニタリールーム４におけるプライバシーを確保できる。
【００１４】
請求項５に記載の発明は、例えば図２に示すように、請求項１〜４のいずれか一項に記載の建物において、
前記サニタリールーム４に隣接する他の部屋（例えば寝室２５）を有し、
前記他の部屋は、前記居室３と行き来自在に連通されていることを特徴とする。
【００１５】
請求項５に記載の発明によれば、他の部屋（例えば寝室２５）はサニタリールーム４と隣接しているので、すぐに当該他の部屋からサニタリールーム４へと行くことができる。また、他の部屋は、居室３と行き来自在に連通されているので、居室３と他の部屋との行き来が容易になるとともに、居室３と他の部屋との間における空気の流通性も向上できる。さらに、居室３との間における空気の流通性を向上できれば、冷暖房パネル１０によって調整された空気を他の部屋にも流通させることができるので、他の部屋における居住の快適性を向上できる。また、居室３と他の部屋との間にサニタリールーム４が介在することになるので、他の部屋における独立性を確保でき、当該他の部屋における居心地の良さを向上できる。
【発明の効果】
【００１６】
本発明によれば、ヒートショック対策に係るコストや手間を省略しつつ、ヒートショックの抑制を図ることが可能となる。
【図面の簡単な説明】
【００１７】
【図１】一つの平面四角形状の領域の概略を示す平面図である。
【図２】建物の一階を示す平面図である。
【図３】建物の二階を示す平面図である。
【図４】建物のロフト階を示す平面図である。
【図５】建物における一つの平面四角形状の領域を含む箇所の縦断面図である。
【発明を実施するための形態】
【００１８】
以下、図面を参照して本発明の実施の形態について説明する。
図１において符号１は一つの平面四角形状の領域を示す。この一つの平面四角形状の領域１は、住宅等の建物の内部空間のうち、一つのフロアにおける一部の領域を指している。
一つの平面四角形状の領域１の周縁部には、当該周縁部に沿って、ある程度の連続性を持って周壁２が配置されている。すなわち、領域１は、周壁２と、当該周壁２の仮想的な延長線２ａとで囲まれ、平面視において四角形状に形成されている。そして、このような一つの平面四角形状の領域１は、周壁２とその仮想的な延長線２ａとによって、建物内部空間における他の領域とは区画された状態となっている。
【００１９】
一つの平面四角形状の領域１は、平面視において正方形または正方形に近い矩形（長方形）に設定されている。
なお、周壁２は、外壁であっても内壁であってもよい。また、延長線２ａの箇所は、一つの平面四角形状の領域１と、当該領域１に隣接する他の領域との間を行き来するための出入口、または屋外に通じる開口部となっている。
【００２０】
一つの平面四角形状の領域１内には、少なくとも、居室３とサニタリールーム４とが配置されている。
なお、建物が複数階建ての場合には、一つの平面四角形状の領域１内に階段５が配置されることが好ましい。
【００２１】
居室３は、リビングルーム３ａとダイニングルーム３ｂとキッチンルーム３ｃの機能を一室に併存させた部屋である。当該居室３は、一つの平面四角形状の領域１の大部分を占めている。
居室３のうちキッチンルーム３ｃに該当する箇所には流し台６が設置されている。リビングルーム３ａとダイニングルーム３ｂに該当する箇所には、家具が適宜設置される。
なお、本実施の形態において居室３は、リビングルーム３ａとダイニングルーム３ｂとキッチンルーム３ｃの機能を一室に併存させた部屋としたが、これに限られるものではなく、寝室や子供部屋等のような居住者が普段いる部屋であってもよい。
【００２２】
サニタリールーム４は、トイレと脱衣洗面所と浴室とを備えた所謂水廻り室である。当該サニタリールーム４は、一つの平面四角形状の領域１の一画に配置されており、領域１に対する専有面積は、居室３よりも小さく設定されている。
より具体的には、サニタリールーム４は、一つの平面四角形状の領域１における一つのコーナー部に配置されている。
【００２３】
このサニタリールーム４と居室３との境界には壁７が設けられている。当該壁７は、平面視において略Ｌ字状に形成されている。
壁７には、居室３とサニタリールーム４とを直接行き来するための出入口８と、当該出入口８とは別の開口部９とが形成されている。
開口部９は、壁７のうち流し台６を向く面に形成されている。より詳細には、この開口部９と流し台６は対向するようにして配置されている。
出入口８は、壁７のうち、流し台６を向かない面に形成されているが、これに限られるものではない。すなわち、開口部９と並んで形成されていてもよい。
なお、居室３のうち、この出入口８に面する箇所は通路とされている。また、居室３のうち、通路に面するとともに階段５の下方に位置する空間は、例えば冷蔵庫や食器棚を配置したり、収納スペースとして使われたりする。
【００２４】
開口部９内には、内部に熱媒あるいは冷媒を通す複数の管部材を備える冷暖房パネル１０が、壁７に沿って配置されている。複数の管部材は、互いに間隔を空けて並設され、隣り合う管部材間を空気が通り抜けるようになっている。
すなわち、冷暖房パネル１０は、壁７の厚み分のスペースを利用し、開口部９内に収まるように設置されている。
【００２５】
開口部９には、当該開口部９を開閉する開閉部材１１が設けられている。本実施の形態の開閉部材１１は、引戸である建具であり、戸当たり１１ａや、戸をスライドさせるためのスライド手段（例えばスライドレール、吊りレール等）とセットで使用される。
【００２６】
また、開閉部材１１は、居室３側とサニタリールーム４側の少なくとも一方に配置されるものであり、本実施の形態においては、居室３側とサニタリールーム４側の双方に配置されている。すなわち、居室３側のみに設けられてもよいし、サニタリールーム４側に設けられてもよい。
開閉部材１１のうち冷暖房パネル１０側面には調湿材が設けられている。さらに開閉部材１１のうちサニタリールーム４側面にも調湿材が設けられている。すなわち、本実施の形態においては、居室３側に配置された開閉部材１１の冷暖房パネル１０側面に調湿材が設けられ、サニタリールーム４側に配置された開閉部材１１の冷暖房パネル１０側面およびサニタリールーム４側面に調湿材が設けられている。
調湿材は、微細な細孔を無数に有する多孔質の建材（壁材）であり、多湿環境では湿気を吸収して結露やカビの発生を抑制し、過乾燥環境では溜め込んだ湿気を放出する機能を有する。このような調湿材によって、冷暖房パネル１０に起因して発生する結露の抑制や、浴室（トイレ、脱衣洗面所）の湿気の吸収が可能となっている。
【００２７】
冷暖房パネル１０における複数の管部材の内部には、熱媒および冷媒として、高温あるいは低温の流体（本実施の形態においては水）が流通される。そのため、冷暖房パネル１０は、複数の管部材の内部に高温あるいは低温の水を流通させるための流体供給装置（図示せず）と接続されている。流体供給装置は、燃料ボイラーやヒートポンプによって流体の温度調整を行い、温度調整された流体をポンプで圧送して複数の管部材に供給するものである。
そして、外気温度が例えば２５℃以上となる夏場には、流体供給装置は、冷暖房パネル１０の複数の管部材内部に冷水を流通させて、一つの平面四角形状の領域１を冷却する。
また、外気温度が例えば０℃以上となる比較的温暖な冬場には、流体供給装置は、冷暖房パネル１０の複数の管部材内部に温水を流通させて、一つの平面四角形状の領域１を暖める。一方、冬場のうち外気温度が例えば０℃未満となる厳寒期には、流体供給装置は、冷暖房パネル１０の複数の管部材内部に熱水を流通させて、一つの平面四角形状の領域１を暖める。
さらに、以上のように冷暖房パネル１０の複数の管部材内部に冷水や温水等を流通させるとともに、シーリングファン等を稼働させて、一つの平面四角形状の領域１を含む建物内の温度調整を行うようにしても良い。
なお、本実施の形態では、冷暖房パネル１０の複数の管部材に通す熱媒および冷媒として流体（例えば水）を採用したが、これに限られるものではない。例えばパラフィン等の潜熱蓄熱材を粒状の密閉容器（固体）に封入したものを多数使ってもよいし、熱を帯びた気体を利用してもよい。
【００２８】
以上のような構成の本実施の形態によれば、開口部９内に、内部に熱媒あるいは冷媒を通す複数の管部材を備える冷暖房パネル１０が、壁７に沿って配置されているので、開口部９を通じて居室３とサニタリールーム４の空気環境の均一化を図ることができるとともに、冷暖房パネル１０によって居室３側とサニタリールーム４側の双方の冷暖房を行うことができる。これによって、居室３とサニタリールーム４との間を行き来する際におけるヒートショックを抑制することができる。
また、居室３側とサニタリールーム４側の冷暖房を一つの冷暖房パネル１０で行うことができるので、コストの低減を図ることができる。さらに、従来とは異なり、居室３とサニタリールーム４との間を行き来する際に特別な操作を必要としないので、従来に比して手間を省略できる。
また、冷暖房パネル１０が、居室３とサニタリールームとの境界の壁７に形成された開口部９内に設けられるので、冷暖房パネル１０が、建物内のプランニングの障害になることを防ぐことができる。
さらに、開口部９を冷暖房パネル１０によってある程度閉塞できるので、ある程度の目隠し効果を得ることができる。
【００２９】
また、居室３とサニタリールーム４は、建物内部空間のうち他の領域とは区画された一つの平面四角形状の領域１内に配置されているので、一つの平面四角形状の領域１内において、冷暖房パネル１０による冷暖房効果を高めることができる。すなわち、冷暖房パネル１０による冷暖房効果が他の領域に分散されることを防ぐことができる。
【００３０】
また、開口部９を開閉する開閉部材１１は、居室３側とサニタリールーム４側の少なくとも一方に配置されているので、例えばサニタリールーム４側に配置されていれば、結露発生の抑制やプライバシー確保だけでなく、冷暖房パネル１０による冷暖房効果を、居室３側に集中させて発揮することができる。
また例えば居室３側に配置されていれば、冷暖房パネル１０による冷暖房効果を、温度が変化しやすいサニタリールーム４側に集中させて発揮することができる。
さらに例えば両方に配置されていれば、居室３側とサニタリールーム４側の双方で別々に開口部９を開放したり閉塞したりすることができるので、片方だけに配置する場合の機能を同時に得ることができる。
【００３１】
また、開閉部材１１のうち冷暖房パネル１０側面には調湿材が設けられているので、冷暖房パネル１０の輻射熱によって発生する開閉部材１１の結露の発生を抑制できる。
また、開口部９を開閉する開閉部材１１のうちサニタリールーム４側面にも調湿材が設けられているので、浴室の湿気による結露の発生を抑制できる。また、開閉部材１１によって開口部９を閉塞できるので、サニタリールーム４におけるプライバシーを確保できる。
【００３２】
＜実施例＞
以下、図面を参照して上述のような一つの平面四角形状の領域１を備えた住宅等の建物の実施例について説明する。
本実施例の建物は、スキップフロア構造を有する二階建ての住宅である。図２は建物の一階を示し、図３は二階を示し、図４はロフト階を示す。なお、説明の便宜上、図２〜図４において、紙面の左側を北とし、右側を南とし、上側を東とし、下側を西とする。
【００３３】
図２に示すように、建物の一階の略中央に、一つの平面四角形状の領域１が配置されている。当該一つの平面四角形状の領域１の周囲には、内壁および外壁からなる周壁２が設けられている。
一つの平面四角形状の領域１内（周壁２の内側）には、居室３と、サニタリールーム４と、階段５と、が配置されている。
【００３４】
居室３は、上述のように、リビングルーム３ａとダイニングルーム３ｂとキッチンルーム３ｃの機能を一室に併存させた部屋である。
リビングルーム３ａには、周壁２の凹凸を利用した壁際のカウンター１２，１２が設けられている。本実施例におけるリビングルーム３ａは、居住者が寛ぐための寛ぎ空間や、居住者が籠るための籠り空間、居住者が運動を行うためのフィットネススペース等として利用されることが想定されている。
ダイニングルーム３ｂには、流し台６と並設されるダイニングテーブル１３ａと、ダイニングチェア１３ｂと、ダイニングカウチ１３ｃと、が配置されている。
キッチンルーム３ｃには、ダイニングテーブル１３ａと並設された流し台６と、流し台６および並設されたダイニングテーブル１３ａに対向するカップボード１４と、が配置されている。すなわち、流し台６およびダイニングテーブル１３ａと、カップボード１４との間がキッチンルーム３ｃにおける作業スペースとなっている。
【００３５】
サニタリールーム４は、上述のように一つの平面四角形状の領域１における一つのコーナー部に配置された水廻り室であり、トイレ４ａと、脱衣洗面所４ｂと、浴室４ｃと、を備える。トイレ４ａには便器が設置され、脱衣洗面所４ｂには洗面台が設置され、浴室４ｃにはバスタブが設置されている。
このサニタリールーム４と居室３との境界には、出入口８と開口部９とが形成された壁７が設けられている。当該壁７は、平面視において略Ｌ字状に形成されている。なお、開口部９は、床面からある程度の高さ（例えば２メートル以上の高さ）に設定されている。
カップボード１４は、壁７のキッチンルーム３ｃ側に固定され、開口部９を左右に跨ぐようにして配置されている。
【００３６】
なお、図示はしないが、本実施例において開口部９を開閉する開閉部材１１（引戸）は、キッチンルーム３ｃにカップボード１４が設けられるため、サニタリールーム４側に設けられているものとする。
また、トイレ４ａと、脱衣洗面所４ｂと、浴室４ｃのそれぞれの間には仕切壁や開閉手段を適宜設けてもよいものとする。
出入口８には、当該出入口８を開閉する引戸８ａが設けられている。また、この出入口８は、後述するクローゼット５ｃに対向して設けられている。
【００３７】
階段５は、一つの平面四角形状の領域１のうち西側の端部に配置されている。さらに、その登り口が、領域１の西側端部における中央付近に配置されている。階段５の登り口前は廊下５ａとなっている。また、階段５の下方空間は、冷蔵庫等を設置収納する収納スペース５ｂと、クローゼット５ｃとして利用されている。
階段５と廊下５ａと収納スペース５ｂの、居室３側には複数枚の引戸１５が設けられており、必要に応じてスライド移動させることにより、階段５の空間（すなわち階段室）を居室３側に開放したり閉塞したりすることができる。このような引戸１５によって、人の往来を制限したり、空気流通の調整を行ったり、さらには視線を遮る役割も果たす。
【００３８】
冷暖房パネル１０は、開口部９内に、壁７に沿って設けられている。さらに、この冷暖房パネル１０の高さは、開口部９の内寸における高さ寸法に合わせて設定されている。
また、開閉部材１１によって開口部９を閉塞することで、サニタリールーム４側にいる人からは冷暖房パネル１０を見えないようにすることができる。また、本実施例においては居室３側に開閉部材１１を設けない設定としたため、居室３側からは、冷暖房パネル１０が常に見えている状態となる。また、カップボード１４が開口部９を左右に跨ぐようにして設けられているため、カップボード１４の上方および下方から冷暖房パネル１０が見えることになる。
【００３９】
周壁２と共に一つの平面四角形状の領域１を囲む、上述の仮想的な延長線２ａに相当する位置には、建物内部空間のうち、一つの平面四角形状の領域１に隣接する他の領域との行き来のための出入口または開口部が設けられる。
すなわち、一つの平面四角形状の領域１の東側には、他の領域として玄関２０が配置されている。そして、一つの平面四角形状の領域１と玄関２０との間には、玄関２０の南北の長さ（奥行）に相当する開口幅に設定された開口部Ｋ１が形成されている。さらに換言すれば、居室３と玄関２０との間には往来の障害となる壁がなく、玄関２０は、開口部Ｋ１を介して居室３と行き来自在に連通された状態となっている。ただし、玄関２０は、その土間床面が居室３の床面よりも一段低く設定されている。以上のような居室３と玄関２０との構造によれば、居室３を広く見せたり、来訪者が居室３の縁に腰かけたりすることができるので好ましい。
【００４０】
なお、玄関２０の南側には玄関ポーチ２１が配置され、北側には、小部屋２２と内庭２３とが配置されている。また、内庭２３は周壁２（ここでは内壁）を介してサニタリールーム４に隣接している。
また、玄関２０の土間床面と、玄関ポーチ２１の土間床面と、小部屋２２の土間床面と、内庭２３のうち玄関２０の延長線上に位置する箇所の土間床面は略等しい高さに設定されている。また、これらの床面は同様にタイル張りが施されている。
【００４１】
一つの平面四角形状の領域１の西側には、他の領域として外庭２４がある。そして、一つの平面四角形状の領域１と外庭２４との間には出入口Ｋ２が設けられている。より詳細に説明すると、出入口Ｋ２は、廊下５ａと外庭２４との間にある周壁２（ここでは外壁）に形成された開口部に、引戸形式の窓サッシを嵌め込んで構成されている。
外庭２４は、平面視略Ｌ字状に形成されており、その周囲が塀２４ａによって囲まれている。
【００４２】
一つの平面四角形状の領域１の北側東寄りには、他の領域として前記内庭２３がある。そして、一つの平面四角形状の領域１と内庭２３との間には出入口Ｋ３が設けられている。より詳細に説明すると、出入口Ｋ３は、浴室４ｃと内庭２３との間にある周壁２（ここでは外壁）に形成された開口部に、引戸形式の窓サッシを嵌め込んで構成されている。
なお、浴室４ｃにあるバスタブは、出入口Ｋ３を通じて内庭２３へと持ち運ぶことができ、露天風呂を楽しむことができる。排水管や水道管は可撓性のあるホースが採用されており、持ち運びに対応している。
また、サニタリールーム４の床面と、内庭２３のうち出入口Ｋ３に面する箇所の床面は略等しい高さに設定されている。また、これらの床面は同様にタイル張りが施されている。
【００４３】
一つの平面四角形状の領域１の北側西寄りには、他の領域として、サニタリールーム４に隣接する寝室２５がある。そして、一つの平面四角形状の領域１と寝室２５との間には開口部Ｋ４が設けられている。より詳細に説明すると、開口部Ｋ４は、居室３と寝室２５とを連通する出入口として機能する。さらに換言すれば、居室３と寝室２５との間には往来の障害となる壁がなく、寝室２５は、開口部Ｋ４を介して居室３と行き来自在に連通された状態となっている。
このような寝室２５周囲の構造によれば、当該寝室２５がサニタリールーム４と隣接しているので、すぐにサニタリールーム４へと行くことができるという利点がある。また、寝室２５は、居室３と行き来自在に連通されているので、居室３との間の行き来が容易になるとともに、居室３との間における空気の流通性も向上できる。さらに、居室３との間における空気の流通性を向上できれば、冷暖房パネル１０によって調整された空気を寝室２５に流通させることができるので、寝室２５における居住の快適性を向上できる。
また、居室３と寝室２５との間にサニタリールーム４が介在することになるので、寝室２５における独立性を確保でき、当該寝室２５における居心地の良さを向上できる。
【００４４】
また、寝室２５には、開口部Ｋ４と対向するようにしてクローゼット２５ａがあり、クローゼット２５ａの壁２５ｂが開口部Ｋ４の正面に配置された状態となっている。すなわち、居室３から寝室２５に向かう際に、開口部Ｋ４は開け放たれた状態にはなっているものの、正面には壁２５ｂがあり、当該壁２５ｂに沿って寝室２５の奥に進んでいく必要がある。そのため、居室３からの視線は寝室２５の奥までは届きにくくなっており、プライバシーの確保を図ることができる。
なお、居室３のうち、開口部Ｋ４のある位置と、サニタリールーム４の出入口８の位置と、クローゼット５ｃとで囲まれる箇所は、各所を連通する通路として機能する。
また、寝室２５の西側であって、かつ外庭２４の北側には、例えば和室である部屋２６が配置されている。
【００４５】
以上のようにして、一つの平面四角形状の領域１を含む建物の一階が構成されている。
【００４６】
図３に示すように、建物の二階には、階段５を登り切った位置に、二階の中央側に伸びるホール２７が配置されている。
ホール２７の西側にはバルコニー２８が配置され、バルコニー２８の北側にはロフト階に上がるための階段２９が配置され、さらにその北側には収納室３０が配置されている。
収納室３０は、天井高が０．８ｍ〜１．４ｍの範囲で適宜変更可能である。この０．８ｍ〜１．４ｍの天井高とは、人が収納室３０に入って、何とか作業ができる最低限の高さを確保するための高さ範囲であり、かつ、このように天井高を必要最小限に抑えることで、建物の高さが高くなることによって隣接する建物に及ぼす日照減少等の影響を極力少なくすることができる高さ範囲である。
ホール２７の東側には部屋３１が配置され、当該部屋３１の西側であって、かつホール２７の北側には部屋３２が配置されている。
部屋３１，３２は、家族の集まる場所または家族で使用できる場所、すなわち共用空間として利用できる。用途としては例えばセカンドリビング、ギャラリー、書斎、クローゼット等が挙げられる。特に、本実施例においては寝室２５と子供部屋３３（後述）とが配設されているので、当該部屋３１，３２は、寝室（プライベートルーム）以外の用途であることが好ましい。ただし、家族構成等に応じて寝室（プライベートルーム）として利用することを妨げるものではない。
【００４７】
ホール２７の南側には、当該ホール２７の床面よりも一段高い位置に、子供部屋等として利用される部屋３３が配置されている。当該部屋３３とホール２７との間には階段３４が設置されている。
また、階段３４の脇には、ホール２７と部屋３３との間に位置する格子壁３５が設けられている。格子壁３５は、部屋３３の床４１に立設されており、複数の縦桟を主体として形成されることによって、ホール２７と部屋３３との間における空気の流通と、視線や音の通過を可能としている。なお、床４１のホール２７側端部には棚４１ａが設けられている。
部屋３３には、格子壁３５から間隔を空けて、かつ当該格子壁３５に対向する目隠し壁３６が設けられている。この目隠し壁３６によって視線を遮ることができるとともに、格子壁３５との間に、壁（格子壁３５と目隠し壁３６）に囲まれた空間を形成することができる。当該壁に囲まれた空間は、部屋３３におけるクローゼットとして利用されている。
部屋３３の南側の壁際には、当該南側の壁の幅方向に沿って長尺なカウンター状の机３７が設けられている。
また、目隠し壁３６の東側には、平面視Ｌ字状に形成された収納用の家具が配置されている。なお、当該収納家具は、その高さが部屋３３の天井高よりも低く設定されている。
【００４８】
以上のようにして、建物の二階が構成されている。
階段２９を登り切った先には、図４に示すように、収納室３０の上方に位置するロフト３８が配置されている。また、ロフト３８の東側の壁３９には開口部３８ａが形成されており、当該開口部３８ａを通じて、ロフト３８と部屋３２とが連通している。なお、ロフト３８は、部屋３３よりも若干高い位置に配置されている。
以上のようにして、建物のロフト階が構成されている。
【００４９】
以上のような構成の建物には、一階に設けられた冷暖房パネル１０によって調整された空気を、建物の二階との間で流通させるための通気構造が採用されている。
このような通気構造は、図５に示すように、冷暖房パネル１０が配置された壁７の上方への延長線に沿って配置されている。
すなわち、壁７の直上には、ホール２７とその周囲の部屋（例えば部屋３２）の床面を構成する床４０が設けられている。また、床４０の上方には、当該床４０と上下方向に間隔を空けて配置される、部屋３３の床４１が設けられている。
下方の床４０と、上方の床４１との間に設けられる壁には、冷暖房パネル１０の上方の位置する開口部４２が形成されている。また、当該開口部４２にはガラリ４２ａが嵌め込まれた状態となっている。
このような構成によれば、冷暖房パネル１０によって調整された空気を、一階から、床４０，４１間の開口部４２を通じて二階に流通させることができる。
【００５０】
部屋３３の床４１におけるホール２７側端部には、上述のように格子壁３５が設けられている。したがって、ホール２７まで上がってきた空気を、さらに部屋３３へと流通させることができる。
格子壁３５の上方には、ホール２７とその周囲の部屋の上方にある屋根よりも上方に位置する外壁４３が設けられている。そして、当該外壁４３には、開閉自在に構成された高窓４４が設けられている。したがって、部屋３３まで上がってきた空気を、さらに高窓４４を通じて外部へと排出することができる。
【００５１】
以上の通気構造について、より詳細に説明する。
本実施例の建物は、図５に示すように、境界線Ｓの左右の造りに高低差を持たせた構造となっている。
建物の一階においては、境界線Ｓの左側が、一階の居室３の床から二階の床４１までの高さｈ１が高く設定され、境界線Ｓの右側が、一階のサニタリールーム４および寝室２５の床から二階の床４０までの高さｈ２が低く設定されている。
建物の二階においては、境界線Ｓの左側が、二階の床４１から外壁上端部までの高さｈ３が低く設定され、境界線Ｓの右側が、二階の床４０から外壁上端部までの高さｈ４が高く設定されている。
【００５２】
すなわち、境界線Ｓの左右の造りに高低差を生じさせるために、各高さｈ１，ｈ２，ｈ３，ｈ４に対応する壁５１，５２，５３，５４が利用されている。
そして、このような高さの異なる壁５１〜５４に対応して、高低差のある二階の床４０，４１が設けられている。
さらに、境界線Ｓは、居室３とサニタリールーム４との境界に設けられた壁７と、二階の床４０，４１間の壁と、床４１から屋根の上端部まで設けられた壁（格子壁３５と外壁４３とを備えた壁）を含んで構成されている。
【００５３】
このような構造の建物は、境界線Ｓの左右の造りに高低差を持たせるために、各高さｈ１，ｈ２，ｈ３，ｈ４に対応する壁５１，５２，５３，５４が利用され、これに伴って床４０，４１を高さの異なるスキップ床とすることができ、左右の高低差を吸収するために境界線Ｓに沿って様々な高さの壁が設けられた状態となっている。
そして、このような境界線Ｓ上の壁に、開口部９や、格子壁３５、開口部４２、高窓４４を配置することで、建物の上下方向における通気構造を構成することが可能となっている。
また、ホール２７側の高さｈ４が、例えば部屋３３側の高さｈ３と同等の高さであった場合には、ホール２７と部屋３３との間の出入口について、人の出入りを、腰を屈めずに行える十分な高さを確保できない。しかし、ホール２７側の高さｈ４を、部屋３３側の高さｈ３よりも高く設定したので、ホール２７と部屋３３との間の出入口について人の出入りに十分な高さを確保できる。
【００５４】
本実施例において、壁５１，５２，５３，５４は、例えば建築用壁パネルによって構成されている。つまり、建物自体の壁や床等が、建築用パネルを用いて構成されている（いわゆるパネル工法）。
ここで、建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
壁５１，５２，５３，５４として建築用壁パネルを用いた場合、高さｈ２，ｈ３に設定された部屋（寝室２５，子供部屋３３等）に使用される建築用壁パネルは通常の高さとなっている。一方、高さｈ１，ｈ４に設定された部屋（居室３，部屋３２等）に使用される建築用壁パネルは、前記通常の高さの建築用壁パネルよりも高さが高く設定されている。ただし、当該高さの高い建築用壁パネルは、輸送車両の輸送制限に抵触しないものであり、かつ、通常の高さの建築用壁パネルと同様に施工を行うことができる。したがって、左右の造りに高低差を持たせるために、高さの高い建築用壁パネルを使用しても、施工や輸送の面で不都合は生じない。
なお、本実施例における建物は、パネル工法によって構築されるものとしたが、これに限られるものではなく、例えば箱状に形成された建物ユニットを複数組み合わせてユニット式建物を構築するユニット工法や、柱および梁等を建築現場で接合して建物を構築する在来工法等のような他の工法を採用してもよい。
【００５５】
本実施例において、通常の高さの建築用壁パネルを用いる部屋（ｈ２，ｈ３に設定された部屋）を、寝室２５，子供部屋３３等としたのは、あえて天井高を低くすることで適度な安心感を得られるようにするためであるが、特に限定されるものではなく、プランニングは適宜変更可能である。
【００５６】
以上のような通気構造によれば、一階に設けられた冷暖房パネル１０によって調整された空気を、一階で利用するだけではなく、二階でも利用することができるので、建物全体の空気調整を行うことが可能となる。これによって、建物全体におけるヒートショックの抑制を図ることができる。
【００５７】
なお、本実施例の建物には、建物内の環境を調整するための、その他の構造が採用されている。
すなわち、図４に示すように、階段５のある階段室の上方には、正逆回転可能なシーリングファン４５が設けられている。したがって、当該シーリングファン４５を正方向または逆方向に回転させることによって、建物内の空気を上下階間で流通させることができる。そして、このようなシーリングファン４５による空気流通に係る構成と、上述のような通気構造とを併用すれば、より快適な建物内環境を形成できることとなる。
また、図５に示すように、ホール２７とその周囲の部屋の上方にある屋根には天窓４６が設けられている。当該天窓４６によれば採光や換気おいて効果を発揮するので、上述のような通気構造とを併用すれば、より快適な建物内環境の形成に貢献できる。
【符号の説明】
【００５８】
１  一つの平面四角形状の領域
２  周壁
３  居室
４  サニタリールーム
５  階段
７  壁
８  出入口
９  開口部
１０  冷暖房パネル
１１  開閉部材
【図１】
2015169060.tif 000003
【図２】
2015169060.tif 000004
【図３】
2015169060.tif 000005
【図４】
2015169060.tif 000006
【図５】
2015169060.tif 000007